(57)【要約】  本開示  熱交換器用のファンガイドユニットは、開口部の周縁に周方向に沿うように設けられた嵌合部（１０）と、嵌合部（１０）に設けられ、周方向に交差する方向に突出した少なくとも一つの突起部（１１）と、を有するファンガイド（５）と、ファンガイド（５）の嵌合部（１０）に対応して設けられた被嵌合部（１３）を有するファンカバー（６）と、を備える。ファンカバー（６）の被嵌合部（１３）には、ファンガイド（５）の突起部（１１）に対応して設けられた少なくとも一つの貫通穴（１４）が設けられている。
2020067123.tif 000002
【特許請求の範囲】
【請求項１】
開口部の周縁に周方向に沿うように設けられた嵌合部と、前記嵌合部に設けられ、前記周方向に交差する方向に突出した少なくとも一つの突起部と、を有するファンガイドと、
前記ファンガイドの嵌合部に対応して設けられた被嵌合部を有するファンカバーと、
を備え、
前記ファンカバーの前記被嵌合部には、前記ファンガイドの突起部に対応して設けられた少なくとも一つの貫通穴が設けられている、
熱交換器用のファンガイドユニット。
【請求項２】
前記ファンガイドの前記開口部は、略円形であり、
前記嵌合部は、前記開口部の周縁から径方向に延びており、
前記突起部は、前記嵌合部の先端から前記径方向に延びている、請求項１に記載のファンガイドユニット。
【請求項３】
前記ファンガイドの前記突起部は、前記周方向の断面において略矩形を有し、
前記径方向の長さより前記周方向の幅が大きい、請求項２に記載のファンガイドユニット。
【請求項４】
前記ファンカバーは、環状部を有し、前記被嵌合部は、前記環状部の周縁に周方向に沿うように設けられ、
前記ファンカバーの前記貫通穴の前記周方向の幅は、前記ファンガイドの前記突起部の前記嵌合部側の前記周方向の幅よりも大きい、請求項２又は３に記載のファンガイドユニット。
【請求項５】
前記ファンカバーは、環状部を有し、前記被嵌合部は、前記環状部の周縁に周方向に沿うように設けられ、
前記ファンガイドの前記突起部は、前記周方向の断面において、前記嵌合部側の前記周方向の幅よりも先端側の前記周方向の幅の方が大きく、
前記ファンカバーの前記貫通穴は、前記周方向の幅が、前記ファンガイドの前記突起部の前記周方向の最小幅より大きく、前記ファンガイドの前記突起部の前記周方向の最大幅より小さい、請求項２に記載のファンガイドユニット。
【請求項６】
前記ファンガイドの前記突起部は、リブを有し、該リブは、前記ファンカバーを前記ファンガイドに取付けた場合、少なくとも一部が前記ファンカバーから露出する、請求項１から５の何れか一項に記載のファンガイドユニット。
【請求項７】
前記リブは、前記周方向に延びており、前記ファンカバーを前記ファンガイドに取付けた場合、前記リブ全体が前記ファンカバーから露出する、請求項６に記載のファンガイドユニット。
【請求項８】
前記ファンカバーは、弾性体からなり、
前記ファンガイドの前記突起部は、前記ファンガイドの下部に位置する、請求項１から７の何れか一項に記載のファンガイドユニット。
【請求項９】
前記ファンガイドは、３つの前記突起部を有し、前記３つの突起部は、前記ファンガイドの下側半分の領域に設けられている、請求項８に記載のファンガイドユニット。
【発明の詳細な説明】
【技術分野】
【０００１】
本開示は、ファンガイドユニットに関する。
【背景技術】
【０００２】
車両の熱交換器（例えば、ラジエーター）の後方には、放熱量を高めるために冷却風を吸引する冷却用ファンが配置される。また、ラジエーターの後面にはファンガイドユニットが取り付けられ、冷却用ファンによって吸引される冷却風を整流することによりラジエーターへの送風効率を上昇させている。【０００３】
ファンガイドユニットは、ファンガイドとファンカバーを有する。ファンガイドは、ラジエーターの後面を覆うように取り付けられ、また、ラジエーターからの冷却風を後方に導く略円形の開口部を有する。ファンカバーは、環状部を有し、ファンガイドの開口部に取り付けられる。ファンカバーは、ファンガイドと冷却用ファンを囲むファンリング（図示せず）との間を繋ぎ、冷却風の洩れを防いでいる。【０００４】
特許文献１では、ファンカバーの周縁に沿って形成された挟持部に、ファンガイドの開口部の周縁に沿って形成された凸条部を嵌合させることにより、ファンカバーをファンガイドの開口部に取り付ける。また、ファンガイドの凸条部の前側（ラジエーター側）に設けられて中心方向に凹んだ凹部に、ファンカバーの嵌合部を嵌合させることにより、エンジンの振動等によるファンカバーの回転を抑制している。【０００５】
特許文献２では、ファンカバーに周方向に等間隔で設けられた複数のストッパーに、ファンガイドの開口部の周縁に沿って形成された嵌合部を嵌合させることにより、ファンカバーをファンガイドの開口部に取り付ける。また、ファンカバーのストッパーに設けられた半球状の膨出部をファンガイドの嵌合部に設けられた取付穴に嵌め込むことにより、ファンカバーの遠心方向への抜けを抑制している。
【先行技術文献】
【特許文献】
【０００６】
【特許文献１】日本国特開２０１７−８１２４４号公報
【特許文献２】日本国特開２０１２−９７５８９号公報
【発明の概要】
【発明が解決しようとする課題】
【０００７】
しかしながら、特許文献２のファンカバーの取付構造では、回転方向に力が働くと、ファンカバーの膨出部がファンガイドの取付穴から外れて回転してしまう可能性がある。また、特許文献１のファンカバーの取付構造では、回転方向に強い力が働くと、ファンカバーの嵌合部がファンガイドの凹部の周囲に乗り上がり回転してしまう可能性がある。したがって、ファンカバーの回転を抑制する構造は、依然として改善の余地があった。【０００８】
本開示は、ファンカバーの回転を抑制することができるファンガイドユニットを提供することを目的とする。
【課題を解決するための手段】
【０００９】
本開示の一態様に係る熱交換器用のファンガイドユニットは、
開口部の周縁に周方向に沿うように設けられた嵌合部と、前記嵌合部に設けられ、前記周方向に交差する方向に突出した少なくとも一つの突起部と、を有するファンガイドと、
前記ファンガイドの嵌合部に対応して設けられた被嵌合部を有するファンカバーと、
を備え、
前記ファンカバーの前記被嵌合部には、前記ファンガイドの突起部に対応して設けられた少なくとも一つの貫通穴が設けられている。【００１０】
上記構成によれば、ファンガイドに設けられた突起部をファンカバーに設けられた貫通穴に嵌合させることにより、ファンカバーの回転を抑制することができる。【００１１】
また、前記ファンガイドの前記開口部は、略円形であり、
前記嵌合部は、前記開口部の周縁から径方向に延びており、
前記突起部は、前記嵌合部の先端から前記径方向に延びてもよい。【００１２】
上記構成によれば、被嵌合部を嵌合部に嵌合させる方向と、貫通穴を突起部に嵌合させる方向が同じ径方向であるため、ファンカバーの取付作業性が向上する。【００１３】
また、前記ファンガイドの前記突起部は、前記周方向の断面において略矩形を有し、
前記径方向の長さより前記周方向の幅が大きくてもよい。【００１４】
上記構成によれば、突起部の回転方向に対する剛性を高めることができる。また、突起部が貫通穴から径方向に外れることを抑制することができる。【００１５】
また、前記ファンカバーは、環状部を有し、前記被嵌合部は、前記環状部の周縁に周方向に沿うように設けられ、
前記ファンカバーの前記貫通穴の前記周方向の幅は、前記ファンガイドの前記突起部の前記嵌合部側の前記周方向の幅よりも大きくてもよい。【００１６】
上記構成によれば、貫通穴と突起部との間で周方向の位置ずれや形状誤差が発生しても、貫通穴に突起部を嵌合することができる。また、貫通穴の周方向両端では嵌合部および被嵌合部が嵌合している。このため、突起部と貫通穴との間に隙間が存在していても周囲の嵌合部および被嵌合部で隙間が塞がれるため、冷却風が隙間から漏れることを防止できる。【００１７】
また、前記ファンカバーは、環状部を有し、前記被嵌合部は、前記環状部の周縁に周方向に沿うように設けられ、
前記ファンガイドの前記突起部は、前記周方向の断面において、前記嵌合部側の前記周方向の幅よりも先端側の前記周方向の幅の方が大きく、
前記ファンカバーの前記貫通穴は、前記周方向の幅が、前記ファンガイドの前記突起部の前記周方向の最小幅より大きく、前記ファンガイドの前記突起部の前記周方向の最大幅より小さくてもよい。【００１８】
上記構成によれば、貫通穴と突起部との間で周方向の位置ずれや形状誤差が発生しても、貫通穴に突起部を嵌合することができる。また、貫通穴の周方向両端では嵌合部および被嵌合部が嵌合していることから、突起部と貫通穴との間に隙間が存在していても周囲の嵌合部及び被嵌合部で隙間が塞がれるため、冷却風が隙間から漏れることを防止できる。また、突起部が貫通穴から径方向に外れることをさらに抑制することができる。【００１９】
また、前記ファンガイドの前記突起部は、リブを有し、該リブは、前記ファンカバーを前記ファンガイドに取付けた場合、少なくとも一部が前記ファンカバーから露出してもよい。【００２０】
上記構成によれば、ファンカバーの取付後にリブが目視可能かを確認することにより、ファンカバーがファンガイドに対して正しく装着されているか否かを判断することができる。【００２１】
また、前記リブは、前記周方向に延びており、前記ファンカバーを前記ファンガイドに取付けた場合、前記リブ全体が前記ファンカバーから露出してもよい。【００２２】
上記構成によれば、周方向に延びたリブ全体がファンカバーから露出するため、リブを簡単に目視することができる。また、突起部が貫通穴から径方向に外れることを抑制することができる。【００２３】
また、前記ファンカバーは、弾性体からなり、
前記ファンガイドの前記突起部は、前記ファンガイドの下部に位置してもよい。【００２４】
上記構成によれば、ファンカバー自体を伸ばしながら行う取付作業は、通常、ファンガイドの下部から行われる。このため、取付の初期段階で、貫通穴に突起部が差込まれて引っ掛かり、ファンカバーを簡単に取り付けることができる。【００２５】
また、前記ファンガイドは、３つの前記突起部を有し、前記３つの突起部は、前記ファンガイドの下側半分の領域に設けられてもよい。【００２６】
上記構成によれば、ファンガイドは、３つの突起部を有しているため、ファンカバーの回転をより抑制することができる。また、取付の初期段階で、３つの貫通穴に３つの突起部が差込まれて引っ掛かり、ファンカバーをより簡単に取り付けることができる。
なお、ファンガイドの下側半分の領域とは、ファンガイドの上下方向中心よりも下側の領域である。
【発明の効果】
【００２７】
本開示によれば、ファンカバーの回転を抑制することができるファンガイドユニットを提供することができる。
【図面の簡単な説明】
【００２８】
【図１】本実施形態に係るファンガイドユニットが取り付けられた熱交換器の全体構成を説明するための斜視図である。
【図２Ａ】本実施形態に係るファンガイドユニットを示す図である。
【図２Ｂ】図２Ａのファンガイドユニットからファンカバーを外した状態（ファンガイド）を示す図である。
【図３Ａ】図２Ａのファンガイドユニットの下部における部分拡大斜視図である。
【図３Ｂ】図３ＡのファンガイドユニットのＡ-Ａ断面斜視図である。
【図４】ファンガイドの突起部を説明するための概略図である。
【図５Ａ】図３ＢのファンガイドユニットのＢ-Ｂ断面斜視図である。
【図５Ｂ】図５Ａのファンガイドユニットからファンカバーを外した状態（ファンガイド）を示す断面斜視図である。
【図６Ａ】変形例に係るファンガイドユニットの下部における部分拡大斜視図である。
【図６Ｂ】図６ＡのファンガイドユニットのＣ-Ｃ断面図である。
【図７Ａ】突起部の変形例を説明するための概略図である。
【図７Ｂ】突起部の別の変形例を説明するための概略図である。
【図７Ｃ】突起部のさらに別の変形例を説明するための概略図である。
【発明を実施するための形態】
【００２９】
以下、本開示の実施形態（以下、本実施形態という。）について図面を参照しながら説明する。本図面に示された各部材の寸法は、説明の便宜上、実際の各部材の寸法とは異なる場合がある。
【００３０】
本実施形態の説明では、説明の便宜上、「左右方向」、「上下方向」、「前後方向」について適宜言及する。これらの方向は、図１に示すファンガイドユニット４について設定された相対的な方向である。これらの方向は、ファンガイドユニット４が取り付けられた熱交換器１が車両に設置された状態での方向に対応している。ここで、「左右方向」は、「左方向」及び「右方向」を含む方向である。「上下方向」は、「上方向」及び「下方向」を含む方向である。「前後方向」は、「前方向」及び「後方向」を含む方向である。前後方向は、上下方向に直交する方向である。左右方向は、前後方向及び上下方向に直交する方向である。添付の図面において、矢印Ｕは上方向、矢印Ｄは下方向、矢印Ｌは左方向、矢印Ｒは右方向、矢印Ｆは前方向、矢印Ｂは後方向を示している。
【００３１】
＜ファンガイドユニットが取り付けられた熱交換器の全体構成＞
図１は、本実施形態に係るファンガイドユニット４が取り付けられた熱交換器１の全体構成を説明するための斜視図である。
熱交換器１は、例えば、車両の前部（例えば、エンジンルーム内）に配置されて、車両前方から取り込んだ冷却風により熱交換器１内を循環する圧縮空気や冷却水を冷却する。熱交換器１の後方には、放熱量を高めるため、冷却風を吸引する冷却用ファン（図示せず）が配置される。ファンガイドユニット４は、前後方向において、熱交換器１と冷却用ファンとの間に配置される。ファンガイドユニット４は、熱交換器１の後面に取り付けられている。冷却風は、熱交換器１の前方から吸い込まれて、熱交換器１、ファンガイドユニット４を順に通過して冷却用ファンを介して後方へ流出する。ファンガイドユニット４は、冷却用ファンによって吸引される冷却風を整流することにより熱交換器１への冷却風の送風効率（すなわち、熱交換器１の冷却効率）を上昇させている。
【００３２】
熱交換器１は、インタークーラ２とラジエーター３を有する。インタークーラ２とラジエーター３は、冷却風の流れ方向に順に設置されている。インタークーラ２は、エンジンへ圧縮空気を送る過給器からの圧縮空気を冷却する。ラジエーター３は、エンジンなどの熱源を冷却するための冷却水を冷却する。尚、熱交換器１は、インタークーラ２とラジエーター３から構成されるものに限定されない。また、インタークーラ２は、ラジエーター３の前方側に配置したが、ラジエーター３の後方に配置されてもよい。
【００３３】
ファンガイドユニット４は、ファンガイド５と、ファンカバー６を有する。ファンガイド５は、ラジエーター３の後面を覆うように取り付けられ、冷却用ファンによって吸引される冷却風を整流する。ファンカバー６は、ファンガイド５と冷却用ファンを囲むファンリング（図示せず）との間を繋ぎ、冷却風の洩れを防ぐ。
【００３４】
＜ファンガイドユニットの全体構成＞
次に、主に図２Ａから図２Ｂを参照しながら、本実施形態に係るファンガイドユニット４の構成について説明する。
図２Ａは、本実施形態に係るファンガイドユニット４を示す図である。図２Ｂは、図２Ａのファンガイドユニット４からファンカバー６を外した状態（ファンガイド５）を示す図である。図２Ａ及び図２Ｂは、後方から視た図である。
【００３５】
ファンガイド５は、合成樹脂からなり、正面視で略正方形状を有する。ファンガイド５の冷却用ファン側の後面には、ラジエーター３からの冷却風を後方に導く略円形の開口部８が設けられている。開口部８の中心は、ファンガイド５の後面の中心から若干下方にずれている。ファンガイド５のラジエーター３側の前面は、冷却風の通路として開放されている。ファンガイド５は、ラジエーター３側の端部周縁と開口部８の周縁とを連結するガイド体９により、冷却用ファンによって吸引される冷却風を整流するための空間を形成している。尚、開口部８の周囲に沿った方向を「周方向」、開口部８の半径に沿った方向を「径方向」という場合がある。また、「径方向」において、開口部８の外から中心位置に向かう方向を「中心方向」といい、中心位置から開口部８の外に向かう方向を「遠心方向」という場合がある。添付の図面において、矢印Ｃは周方向、矢印ＲＡは径方向を示している。
【００３６】
ファンガイド５は、ラジエーター３側の端部周縁に、フランジ部７を有する。フランジ部７には、取付孔や取付部が設けられている。ファンガイド５は、フランジ部７にてボルト等によりラジエーター３の後面に固定される。
【００３７】
ファンカバー６は、ファンガイド５の開口部８の周縁に取り付けられる。ファンカバー６は、弾性体（例えば、ゴム）からなる。
【００３８】
尚、ファンガイド５は、ラジエーター３の後面の形状に対応して正面視で略正方形状を有しているが、これに限定されない。熱交換器１に取り付けられる端部の形状が熱交換器１の形状に対応している限りにおいて、その形状は特に限定されるものではない。また、開口部８の形状・位置は、これに限定されない。冷却用ファン及びファンリングの形状・位置に対応している限りにおいて、その形状・位置は特に限定されるものではない。
【００３９】
＜ファンガイドとファンカバーの取付構造＞
次に、主に図３Ａから図５Ｂを参照しながら、本実施形態に係るファンガイド５とファンカバー６の取付構造について説明する。
図３Ａは、図２Ａのファンガイドユニット４の下部における部分拡大斜視図である。図３Ｂは、図３Ａのファンガイドユニット４のＡ-Ａ断面斜視図である。図４は、ファンガイドの突起部を説明するための概略図である。尚、図４は、突起部の周方向の断面の形状を示す概略図である。図５Ａは、図３Ｂのファンガイドユニット４のＢ-Ｂ断面斜視図である。図５Ｂは、図５Ａのファンガイドユニット４からファンカバー６を外した状態（ファンガイド５）を示す断面斜視図である。
【００４０】
ファンガイド５は、図３Ｂに示すように、開口部８の周縁に、嵌合部１０と、突条部１２を有する。嵌合部１０は、開口部８の周縁に、周方向に沿うように且つ遠心方向に延びて設けられている。嵌合部１０は、その先端部は後方に屈曲しており、周方向に直交する断面が略Ｌ字状となっている。突条部１２は、開口部８の周縁の嵌合部１０より前側の位置に、周方向に沿うように且つ遠心方向に延びて設けられている。
【００４１】
ファンカバー６は、図３Ｂに示すように、環状部６ａと被嵌合部１３を有する。環状部６ａは、ファンリングの一部を囲むように構成されている。環状部６ａの後部は、中心方向に向かって延びており、その先端はファンリングと嵌合する。被嵌合部１３は、環状部６ａの前端部の周縁に設けられている。被嵌合部１３は、周方向に沿うように且つ中心方向に延びて設けられた前側被嵌合部１３ａおよび後側被嵌合部１３ｂを有する。被嵌合部１３は、前側被嵌合部１３ａおよび後側被嵌合部１３ｂで嵌合部１０を前後から挟むように嵌合部１０に嵌合する。後側被嵌合部１３ｂは、その先端が前方に屈曲し、周方向に直交する断面は略Ｌ字状となっており、嵌合部１０の略Ｌ字状の先端と係合する。
【００４２】
ファンガイド５の嵌合部１０は、ファンカバー６の被嵌合部１３により前後から挟むように嵌合される。このような取付構造は、ファンカバー６がファンガイド５から後方へ移動することを抑制することができる。また、嵌合部１０の先端は、後側被嵌合部１３ｂの先端に係止されるため、ファンカバー６がファンガイド５から遠心方向に外れることが抑制される。また、突条部１２は、嵌合部１０に平行に設けられているため、突条部１２は、被嵌合部１３を嵌合部１０に嵌合させる際に被嵌合部１３を中心方向に案内することができる。
【００４３】
本実施形態では、さらに、ファンガイド５は嵌合部１０に設けられた少なくとも一つの突起部１１を有し、ファンカバー６は突起部１１に対応する被嵌合部１３に設けられた少なくとも一つの貫通穴１４を有している。突起部１１および貫通穴１４により、エンジンの振動等によるファンカバー６の回転を抑制することができる。
【００４４】
例えば、図３Ａに示すように、ファンガイド５は、複数（本例では三つ）の突起部１１を有する。三つの突起部１１は、ファンガイド５の下側半分の領域に設けられている。一つの突起部１１は、開口部８の周縁の一番下の部分（下部の一例）に設けられており（図２Ｂ参照）、その左右に二つの突起部１１が所定の間隔で設けられている。ファンカバー６は、ファンガイド５の突起部１１に対応する複数（本例では三つ）の貫通穴１４を有している。
【００４５】
突起部１１は、図４に示すように、周方向の断面において、略矩形を有し、径方向の長さＬ１より周方向の幅Ｗ２が大きくなるように形成されている。また、突起部１１は、図５Ａおよび図５Ｂに示すように、径方向及び前後方向の断面において、前後方向の幅Ｗ１が、嵌合部１０の先端の前後方向の幅Ｗ０と同じになるように形成されており、嵌合部１０の先端から周方向の所定の長さに渡って遠心方向に突出している。
【００４６】
貫通穴１４は、図４に示すように、周方向の幅Ｗ３が、ファンガイド５の突起部１１の嵌合部１０側の周方向の幅Ｗ２よりも大きくなるように形成されている。また、貫通穴１４の前後方向の幅は、突起部１１の前後方向の幅と同じになるように形成されている。ファンカバー６をファンガイド５に取り付けた状態では、貫通穴１４の前後方向の幅は、突起部１１の前後方向の幅と同じであるため、貫通穴１４に突起部１１が嵌合する。
【００４７】
ファンカバー６をファンガイド５に取り付ける作業では、先ず、作業者は、貫通穴１４と突起部１１とを対応させるように、ファンカバー６のファンガイド５に対する回転方向（周方向）の位置を定める。次に、ファンガイド５の一番下に位置する突起部１１を貫通穴１４に嵌合させるとともに、その周辺において、被嵌合部１３で嵌合部１０を前後方向から挟むように、被嵌合部１３を嵌合部１０に嵌合させる。作業者は、必要に応じて、ファンカバー６を復元力に抗して前後方向に伸ばしながら、貫通穴１４を突起部１１に挿入し、ファンカバー６を復元させながら、突起部１１を貫通穴１４に嵌合させていく。
【００４８】
次に、作業者は、必要に応じて、ファンカバー６を復元力に抗して周方向に伸ばしながら、また、ファンカバー６を復元させながら、下方から上方に向かって、被嵌合部１３を嵌合部１０に嵌合させていく。尚、途中、残りの二つの突起部１１を貫通穴１４に嵌合させるが、二つの突起部１１の位置と貫通穴１４の位置が周方向に多少ずれていても、貫通穴１４の周方向の幅が突起部１１の幅より広いため、突起部１１を貫通穴１４に嵌合させることができる。そして、周方向のすべての被嵌合部１３を嵌合部１０に嵌合させることにより、ファンカバー６をファンガイド５に取り付けることができる。
【００４９】
このように、本実施形態では、ファンガイド５に設けられた突起部１１をファンカバー６に設けられた貫通穴１４に嵌合させることにより、ファンカバー６の回転を抑制することができる。
【００５０】
また、突起部１１は、嵌合部１０の先端から遠心方向に延びているため、貫通穴１４を突起部１１に嵌合させる方向が被嵌合部１３を嵌合部１０に嵌合させる方向と同じ方向となり、ファンカバー６の取付作業性が向上する。
【００５１】
また、突起部１１は、周方向の断面において略矩形を有し、径方向の長さより周方向の幅が大きいため、突起部１１の回転方向に対する剛性を高めることができる。また、突起部１１が貫通穴１４から中心方向に外れることを抑制することができる。
【００５２】
また、貫通穴１４の周方向の幅は、突起部１１の嵌合部側の周方向の幅よりも大きいため、貫通穴１４と突起部１１との間で周方向の位置ずれや形状誤差が発生しても、貫通穴１４に突起部１１を嵌合することができる。また、貫通穴１４の周方向両端では嵌合部１０および被嵌合部１３が嵌合している。このため、突起部１１と貫通穴１４との間に隙間が存在していても、その隙間は周囲の嵌合部１０および被嵌合部１３で塞がれるため、冷却風が隙間から漏れることを防止できる。
【００５３】
また、ファンガイド５は、三つの突起部１１を有しているため、ファンカバー６の回転をより抑制することができる。また、三つの突起部１１は、ファンガイド５の下側半分の領域に設けられている。ファンカバー６自体を伸ばしながら行う取付作業は、ファンガイド５の下部から行われるため、取付の初期段階で、貫通穴１４に突起部１１が差込まれて引っ掛かり、ファンカバーを簡単に取り付けることができる。
【００５４】
＜ファンガイドユニットの変形例＞
次に、ファンガイドユニット４の変形例について説明する。図６Ａは、変形例に係るファンガイドユニット４’の下部における部分拡大斜視図である。図６Ｂは、図６Ａのファンガイドユニット４’のＣ-Ｃ断面図である。尚、変形例の説明では、本実施形態の説明において既に説明された部材と同一の参照番号を有する部材については、説明の便宜上、その説明は省略する。変形例１は、ファンガイド５’の突起部１１’がリブ１５を有する点が本実施形態のファンガイド５と異なる。
【００５５】
ファンガイド５’の突起部１１’は、ファンカバー６側の面に周方向に延びたリブ１５を有する。リブ１５は、ファンカバー６をファンガイド５’に取付けた場合、嵌合部１０に対して被嵌合部１３が正常に嵌合された状態において、リブ１５全体がファンカバー６から露出する位置に設けられている。
【００５６】
このように、突起部１１’がリブ１５を有するため、取付作業を行う作業者は、ファンカバー６の取付後にリブ１５が目視可能かを確認することができる。このため、作業者はファンカバー６がファンガイド５’に対して正しく装着されているか否かを判断することができる。また、リブ１５は、突起部１１’が貫通穴１４から径方向に外れることを抑制することができる。
【００５７】
尚、リブ１５は、ファンカバー６をファンガイド５’に取付けた場合、少なくとも一部がファンカバー６から露出する限りにおいて、その数、配置場所及び形状は特に限定されるものではない。
【００５８】
＜ファンガイドの突起部の変形例＞
次に、ファンガイド５の突起部１１の変形例について説明する。図７Ａから図７Ｃは、突起部１１Ａ〜１１Ｃの変形例を説明するための概略図である。図７Ａから図７Ｃは、突起部１１Ａ〜１１Ｃの周方向の断面の形状を示す概略図である。
【００５９】
図７Ａの突起部１１Ａは、周方向の断面において、嵌合部１０側の周方向の幅Ｗ５よりも先端側の周方向の幅Ｗ６の方が広く、Ｔ字形状となっている。貫通穴１４Ａは、周方向の断面において、周方向の幅Ｗ４は、突起部１１Ａの嵌合部１０側の周方向の幅Ｗ５よりも大きく、先端側の周方向の幅Ｗ６よりも小さくなるように形成されている。
【００６０】
図７Ｂの突起部１１Ｂは、周方向の断面において、嵌合部１０側から先端側に向かって周方向の幅が徐々に広くなっている。貫通穴１４Ｂは、周方向の断面において、周方向の幅Ｗ７は、突起部１１Ａの嵌合部１０側の周方向の幅Ｗ８よりも大きく、先端側の周方向の幅Ｗ９よりも小さくなるように形成されている。
【００６１】
図７Ｃの突起部１１Ｃは、周方向の断面において、嵌合部１０側から遠心方向に所定の位置までは周方向同一の幅を有し、所定の位置から先端側に向かって周方向の幅が徐々に広くなっている。貫通穴１４Ｃは、周方向の断面において、周方向の幅Ｗ１０が、突起部１１Ａの所定の位置の周方向の幅Ｗ１１よりも大きく、先端側の周方向の幅Ｗ１２よりも小さくなるように形成されている。
【００６２】
このように、ファンガイド５の突起部１１Ａ〜１１Ｃは、周方向の断面において、嵌合部１０側の周方向の幅よりも先端側の周方向の幅の方が大きい。また、ファンカバー６の貫通穴１４Ａ〜１４Ｃの周方向の幅は、ファンガイドの突起部１１Ａ〜１１Ｃの周方向の最小幅より大きく、ファンガイド５の突起部１１Ａ〜１１Ｃの周方向の最大幅より小さい。このため、貫通穴１４Ａ〜１４Ｃと突起部１１Ａ〜１１Ｃとの間で周方向の位置ずれや形状誤差が発生しても、貫通穴１４Ａ〜１４Ｃに突起部１１Ａ〜１１Ｃを嵌合することができる。また、貫通穴１４Ａ〜１４Ｃの周方向両端では嵌合部１０および被嵌合部１３が嵌合していることから、突起部１１Ａ〜１１Ｃと貫通穴１４Ａ〜１４Ｃとの間に隙間が存在していても、その隙間は周囲の嵌合部１０及び被嵌合部１３で塞がれるため、冷却風が隙間から漏れることを防止できる。また、突起部１１Ａ〜１１Ｃが貫通穴１４Ａ〜１４Ｃから遠心方向に外れることをさらに抑制することができる。
【００６３】
＜他の実施形態＞
以上、本開示の実施形態について説明をしたが、本開示の技術的範囲が本実施形態の説明によって限定的に解釈されるべきではないのは言うまでもない。本実施形態は単なる一例であって、請求の範囲に記載された発明の範囲内において、様々な実施形態の変更が可能であることが当業者によって理解されるところである。本開示の技術的範囲は請求の範囲に記載された発明の範囲及びその均等の範囲に基づいて定められるべきである。
【００６４】
上記実施形態では、ファンガイド５は、開口部８の周縁に突条部１２を有するが、本開示は、これに限らない。ファンガイド５は、突条部１２を有していなくてもよい。
【００６５】
また、上記実施形態では、複数の突起部１１は、同一形状を有するが、これに限定されない。複数の突起部１１は、それぞれ異なる形状を有してもよい。
【００６６】
また、上記実施形態では、突起部１１は、ファンガイド５の下部に設けられているが、これに限定されない。例えば、ファンガイド５の上からファンカバー６が取付られる場合には、突起部１１は、ファンガイド５の上部に設けられてもよい。また、ファンガイド５は、３つの突起部１１を有しているが、これに限定されない。例えば、ファンガイド５は、一つまたは二つの突起部、あるいは、４つ以上の突起部を有してもよい。また、複数（本例では三つ）の突起部１１は、ファンガイド５の下側半分の領域に設けられているが、これに限定されない。例えば、一つの突起部１１がファンガイド５の下側半分の領域に設けられ、残りの突起部１１がファンガイド５の上側半分の領域に設けられてもよい。
【００６７】
また、上記実施形態では、突起部１１は、嵌合部１０の先端から周方向に垂直な遠心方向に突出するように形成されているが、これに限定されない。例えば、径方向に対して所定の角度で傾斜した方向に突出してもよい。尚、突起部１１は、ガイド体９の内部に形成された空間へ突出しないことが好ましい。突起部１１をガイド体９の内部に形成された空間へ突出させる場合には、冷却風の流れの妨げにならない箇所に突出させることが望ましい。
【００６８】
本出願は、２０１８年９月２６日出願の日本特許出願２０１８−１８００６２号に基づくものであり、その内容はここに参照として取り込まれる。
【図１】
2020067123.tif 000003
【図２Ａ】
2020067123.tif 000004
【図２Ｂ】
2020067123.tif 000005
【図３Ａ】
2020067123.tif 000006
【図３Ｂ】
2020067123.tif 000007
【図４】
2020067123.tif 000008
【図５Ａ】
2020067123.tif 000009
【図５Ｂ】
2020067123.tif 000010
【図６Ａ】
2020067123.tif 000011
【図６Ｂ】
2020067123.tif 000012
【図７Ａ】
2020067123.tif 000013
【図７Ｂ】
2020067123.tif 000014
【図７Ｃ】
2020067123.tif 000015
【国際調査報告】
2020067123.tif 000016
2020067123.tif 000017
2020067123.tif 000018
2020067123.tif 000019